(57)【要約】【課題】現場での施工の手間を軽減できる外断熱パネルおよび外断熱構造を提供する。【解決手段】外断熱パネル１５は、枠体１６とこの枠体１６内に設けられた断熱材１７とを備えており、枠体１６は、左右に離間しかつ互いに平行に設けられた複数の縦桟材１６ａと、これら縦桟材１６ａを連結するように設けられた複数の横桟材１６ｂとを有し、横桟材１６ｂが縦桟材１６ａの前面に固定されているので、外壁構造体８の外側に、枠体１６を、横桟材１６ｂが外側を向くようにして取り付けることによって、横桟材１６ｂを胴縁として機能させ、この横桟材１６ｂに外装材２４を取り付けることができる。したがって、現場での胴縁取付け作業を省略することができるので、その分、外断熱構造の施工の手間を軽減できる。【選択図】図１
2010095956.tif 000002
【特許請求の範囲】
【請求項１】
外壁構造体の外側に取り付けられる外断熱パネルであって、
枠体と、この枠体内に設けられた断熱材とを備え、
前記枠体は、左右に離間しかつ互いに平行に設けられた複数の縦桟材と、これら縦桟材を連結するように設けられた複数の横桟材とを有し、
前記横桟材は前記縦桟材の前面に固定されていることを特徴とする外断熱パネル。 
【請求項２】
請求項１に記載の外断熱パネルにおいて、
前記横桟材は、上下に離間して複数平行に設けられるとともに、前記縦桟材にこれと交差した部分において固定されていることを特徴とする外断熱パネル。 
【請求項３】
請求項１または２に記載の外断熱パネルにおいて、
前記枠体は、前記複数の縦桟材の上下端部をそれぞれ連結する上框材と下框材とを有していることを特徴とする外断熱パネル。 
【請求項４】
請求項１〜３のいずれか一項に記載の外断熱パネルを備えた外断熱構造であって、
外壁構造体の外側に、前記外断熱パネルが横桟材を外側に向けて取り付けられており、
前記外断熱パネルの前記横桟材に、外装材が取り付けられていることを特徴とする外断熱構造。 
【請求項５】
請求項４に記載の外断熱構造において、
前記外断熱パネルに取付金物が固定されており、
この取付金物を、前記外壁構造体に固定された受金物に係合することによって、外壁構造体に、前記外断熱パネルが取り付けられていることを特徴とする外断熱構造。
【発明の詳細な説明】
【技術分野】
【０００１】
本発明は、外断熱パネルおよび外断熱構造に関する。
【背景技術】
【０００２】
住宅などの建物において、外壁からの熱の拡散を防止する目的で設けられる外断熱構造の一例として特許文献１に記載のものが知られている。
この外断熱構造に使用される外断熱材は、外壁と、この外壁に胴縁を介して取り付けられる外装材との間に複数設けられるものであり、軟質断熱材と、この軟質断熱材に設けられ、他の軟質断熱材が圧縮されてなる圧縮部材とを備え、前記軟質断熱材に、前記圧縮部材が固定されることにより、前記軟質断熱材と前記圧縮部材とが一体化されてなるものである。
そして、このような外断熱材を使用した外断熱構造では、外断熱材の圧縮部材に、胴縁が圧縮部材に対して略平行となるように取り付けられ、この胴縁に外装材が取り付けられている。
【特許文献１】特開２００５−２００９２４号公報
【発明の開示】
【発明が解決しようとする課題】
【０００３】
ところで、上記のような従来の外断熱構造では、壁パネル等で構成された外壁構造体の外側に、外断熱材を取り付けたうえで、この外断熱材の圧縮部材に胴縁を取り付けるので、現場で外断熱材の取付け作業と、胴縁の取付け作業との双方を行う必要があり、施工に手間がかかっていた。
【０００４】
本発明は上記事情に鑑みてなされたもので、現場での施工の手間を軽減できる外断熱パネルおよび外断熱構造を提供することを課題としている。
【課題を解決するための手段】
【０００５】
上記課題を解決するために、請求項１に記載の発明は、例えば図１〜図３に示すように、外壁構造体８の外側に取り付けられる外断熱パネル１５であって、
枠体１６と、この枠体１６内に設けられた断熱材１７とを備え、
前記枠体１６は、左右に離間しかつ互いに平行に設けられた複数の縦桟材１６ａと、これら縦桟材１６ａを連結するように設けられた複数の横桟材１６ｂとを有し、
前記横桟材１６ｂは前記縦桟材１６ａの前面に固定されていることを特徴とする。
【０００６】
請求項１に記載の発明によれば、枠体１６が、左右に離間しかつ互いに平行に設けられた複数の縦桟材１６ａと、これら縦桟材１６ａを連結するように設けられた複数の横桟材１６ｂとを有し、横桟材１６ｂが縦桟材１６ａの前面に固定されているので、外壁構造体８の外側に、内部に断熱材１７が設けられた枠体１６を、横桟材１６ｂが外側を向くようにして取り付けることによって、横桟材１６ｂを胴縁として機能させ、この横桟材１６ｂに外装材２４を取り付けることができる。
したがって、現場での胴縁取付け作業を省略することができるので、その分、外断熱構造の施工の手間を軽減できる。
また、現場作業時間を短縮することができるので、雨濡れ等による外断熱パネル１５や外壁構造体８の品質低下を回避することができる。
【０００７】
請求項２に記載の発明は、請求項１に記載の外断熱パネルにおいて、
前記横桟材１６ｂは、上下に離間して複数平行に設けられるとともに、前記縦桟材１６ａにこれと交差した部分において固定されていることを特徴とする。
【０００８】
請求項２に記載の発明によれば、上下に離間して複数平行に設けられた横桟材１６ｂが縦桟材１６ａにこれと交差した部分において固定されているので、これら横桟材１６ｂを強固に固定できる。したがって、これら横桟材１６ｂによって外装材２４を強固に支持できる。また、横桟材１６ｂによって枠体１６が補強される。
【０００９】
請求項３に記載の発明は、請求項１または２に記載の外断熱パネルにおいて、
前記枠体１６は、前記複数の縦桟材１６ａの上下端部をそれぞれ連結する上框材１６ｃと下框材１６ｄとを有していることを特徴とする。
【００１０】
請求項３に記載の発明によれば、枠体１６が、複数の縦桟材１６ａの上下端部をそれぞれ連結する上框材１６ｃと下框材１６ｄとを有しているので、枠体１６内に設けられた断熱材１７が枠体１６の上下端部から抜け出ることがない。
また、複数の外断熱パネル１５を上下に隣接配置する際に、下方の外断熱パネル１５の上框材１６ｃに、上方の外断熱パネル１５の下框材１６ｄを設置することによって、上下の外断熱パネル１５，１５を安定的に配置できる。
【００１１】
請求項４に記載の発明は、請求項１〜３のいずれか一項に記載の外断熱パネルを備えた外断熱構造であって、
外壁構造体８の外側に、前記外断熱パネル１５が横桟材１６ｂを外側に向けて取り付けられており、
前記外断熱パネル１５の前記横桟材１６ｂに、外装材２４が取り付けられていることを特徴とする。
【００１２】
請求項４に記載の発明によれば、外壁構造体８の外側に、内部に断熱材１７が設けられた外断熱パネル１５が、横桟材１６ｂを外側に向けて取り付けられており、この横桟材１６ｂに外装材２４が取り付けられているので、横桟材１６ｂを胴縁として機能させることができる。
したがって、現場での胴縁取付け作業を省略することができるので、その分、外断熱構造の施工の手間を軽減できる。
【００１３】
請求項５に記載の発明は、例えば図２〜図４に示すように、請求項４に記載の外断熱構造において、
前記外断熱パネル１５に取付金物２０が固定されており、
この取付金物２０を、前記外壁構造体８に固定された受金物２１に係合することによって、外壁構造体８に、前記外断熱パネル１５が取り付けられていることを特徴とする。
【００１４】
請求項５に記載の発明によれば、外断熱パネル１５に固定された取付金物２０を、外壁構造体８に固定された受金物２１に係合することによって、外壁構造体８に外断熱パネル１５が取り付けられているので、外壁構造体８に外断熱パネル１５を容易かつ確実に取り付けることができる。
【発明の効果】
【００１５】
本発明によれば、外断熱パネルが、枠体と、この枠体内に設けられた断熱材とを備え、この枠体が、左右に離間しかつ互いに平行に設けられた複数の縦桟材と、これら縦桟材を連結するように設けられた複数の横桟材とを有し、横桟材が縦桟材の前面に固定されているので、外壁構造体の外側に、内部に断熱材が設けられた枠体を、横桟材が外側を向くようにして取り付けることによって、横桟材を胴縁として機能させ、この横桟材に外装材を取り付けることができる。
したがって、現場での胴縁取付け作業を省略することができるので、その分、外断熱構造の施工の手間を軽減できる。
また、現場作業時間を短縮することができるので、雨濡れ等による外断熱パネルや外壁構造体の品質低下を回避することができる。
【発明を実施するための最良の形態】
【００１６】
以下図面を参照して本発明の実施の形態について説明する。
（第１の実施の形態）
図１〜図３は第１実施の形態を示すもので、図１は本発明に係る外断熱構造の一例を示す縦断面図、図２は同平断面図、図３は本発明に係る外断熱パネルを示す斜視図である。
【００１７】
図１において、符号１は基礎を示す。基礎１は布基礎であり、その内側には防湿土間コンクリート２が打設されている。また、基礎１の上面の内側半分には、床パネル３の端部が台輪４を介して設置されており、基礎１の上面の外側半分には、半土台５が台輪４を介して設置されている。床パネル３は、建物の躯体を構成するものであり、矩形枠状の枠体内に補強桟材が縦横に取り付けられるとともに、上面に合板からなる面材３ａが取り付けられてなるものである。
そして、床パネル３の端部上面と半土台５の上面に、壁パネル６が設置されている。壁パネル６は、建物の躯体を構成するものであり、矩形枠状の枠体内に補強桟材が縦横に取り付けられるとともに、左右両面に合板からなる面材６ａ，６ａが取り付けられてなるものであり、内部にはグラスウール等からなる断熱材７が充填されている。
壁パネル６は複数枚を表面が面一になるようにして接合するとともに、出隅部や入隅部では互いに直角に接合することによって、外壁構造体８を構成するものである。
【００１８】
なお、基礎１には、図示しないアンカーボルトがその上端部を基礎１の上面から突出するようにして埋設されており、このアンカーボルトの上端部は、前記床パネル３と半土台５との接合部を貫通して、壁パネル６の枠体６ｂに連結されている。
また、基礎１の外面には発泡断熱材９が設けられ、この発泡断熱材９の表面に下地ボード１０が取り付けられ、この下地ボード１０の表面に、仕上材としての塩ビシート１１が貼り付けられている。これによって、基礎１の外側が外断熱構造となっている。
【００１９】
壁パネル６で構成された外壁構造体８の外側には、本発明に係る外断熱パネル１５が取り付けられている。
外断熱パネル１５は、図１〜図３に示すように、枠体１６と、この枠体１６内に設けられたグラスウール等からなる断熱材１７とを備えている。なお、図３では、断熱材１７は省略してある。
枠体１６は、左右に離間しかつ互いに平行に設けられた複数（図３では４本）の縦桟材１６ａ・・・と、これら縦桟材１６ａ・・・を連結するように設けられた複数（図３では２本）の横桟材１６ｂ，１６ｂと、複数の縦桟材１６ａ・・・の上下端部をそれぞれ連結する上框材１６ｃ、下框材１６ｄとを備えて構成されている。
【００２０】
前記横桟材１６ｂ，１６ｂは、枠体１６の横幅と等しい長さを有しており、縦桟材１６ａ・・・の前面に固定されている。したがって、横桟材１６ｂ，１６ｂは、左右両側の縦桟材１６ａ，１６ａと上下の框材１６ｃ，１６ｄとで構成された矩形枠より横桟材１６ｂの厚さ分だけ矩形枠から突出している。
また、前記横桟材１６ｂ，１６ｂは、上下に離間して平行に設けられており、縦桟材１６ａ・・・にこれと交差した部分において、釘や接着剤等によって固定されている。
【００２１】
このような構成の外断熱パネル１５は、以下のようにして、壁パネル６で構成された外壁構造体８に取り付けられている。
すなわちまず、図２および図３に示すように、外断熱パネル１５は横桟材１６ｂを外側に向けて取付金物２０によって外壁構造体８の表面に取り付けられている。つまり、枠体１６の裏面側を外壁構造体８の表面に当接させて取付金物２０によって取り付けられている。
【００２２】
取付金物２０は、図４に示すように、矩形板状の鉄板を折り曲げて形成されたものであり、固定板２０ａと、係合板２０ｂと、これらを連結する連結板２０ｃとによって構成さされている。
固定板２０ａは、外断熱パネル１５の左右の縦桟材１６ａ，１６ａの内側の側面に、釘やビス等の止着材によって固定されるものであり、この固定板２０ａには止着材を挿通するための孔が形成されている。
【００２３】
係合板２０ｂは、後述する受金物に係合するものであり、連結板２０ｃの縁部から固定板２０ａと反対側に延在し、かつ、固定板２０ａと平行に設けられている。また、係合板２０ｂには、係合溝２０ｄが係合されており、この係合溝２０ｄの下端部には、傾斜部２０ｅが形成されている。この傾斜部２０ｅは、下方に向かうにしたがって漸次係合溝２０ｄの開口が大きくなるように傾斜している。
なお、このような取付金物２０は、外断熱パネル１５の左右両側の縦桟材１６ａ，１６ａのうち、一方の縦桟材１６ａの内側の側面に固定するものと、他方の縦桟材１６ａの内側の側面に固定するものとの２種類があり、これら２種類の取付金物２０は、固定板２０ａまたは係合板２０ｂと平行な面に対して、対称的に形成されている。
そして、取付金物２０は、外断熱パネル１５の４つの角部の内側にそれぞれ固定されている、つまり、左右両側の縦桟材１６ａ，１６ａの上下端部の内側の側面にそれぞれ固定板２０ａを止着材によって固定することによって、固定されている。
また、取付金物２０を縦桟材１６ａに固定した状態において、係合板２０ｂの先端は枠体１６の裏面より内側に位置している。つまり、係合板２０ｂの先端は外断熱パネル１５の裏面から突出していない。また、係合板２０ｂの係合溝２０ｄは下方に向けられている。
【００２４】
一方、外壁構造体８の表面、すなわち壁パネル６の表面には、受金物２１が固定されている。
この受金物２１は、矩形板状の鉄板をＬ型に折り曲げて形成されたものであり、固定板２１ａと、この固定板２１ａに直角に形成された係合板２０ｂとによって構成されている。
固定板２１ａは、外壁構造体８の表面に釘やビス等の止着材によって固定されるものであり、この固定板２１ａには止着材を挿通するための孔が形成されている。
係合板２１ｂは、前記取付金物２０の係合板２０ｂに係合するものであり、この係合板２０ｂに形成された係合溝２０ｄに係合する係合ピン２１ｄが係合板２１ｂに直角に形成されている。
【００２５】
前記受金物２１は、外壁構造体８の表面に、係合板２１ｂを外壁構造体８の表面から突出させるとともに固定板２１ａを釘やビス等の止着材によって固定することによって、固定されている。
また、受金物２１は外壁構造体８の表面に、外断熱パネル１５に固定された取付金物２０に対応する位置に固定されている。つまり、受金物２１は、外壁構造体８の表面に取り付けられるべき外断熱パネル１５に固定された取付金物２０に位置に対応して、固定されている。
【００２６】
そして、外断熱パネル１５は、その取付金物２０を外壁構造体８の表面に固定された受金物２１に係合することによって、外壁構造体８の表面に取り付けられている。
取付金物２０を受金物２１に係合する場合、取付金物２０の係合板２０ｂを、受金物２１の係合板２１ｂに上方から摺動するようにして当接するとともに、係合溝２０ｄを係合ピン２１ｄに上方から係合させることによって行う。この場合、係合溝２０ｄには傾斜部２０ｅが形成されているので、この傾斜部２０ｅに沿って係合ピン２１ｄが相対的に移動し、これによって、取付金物２０が外壁構造体８の表面側に引き込まれて、外断熱パネル１５が外壁構造体８の表面に当接した状態で取り付けられる。
【００２７】
上記のようにして外壁構造体８の表面に取り付けられた外断熱パネル１５の表面には、図１および図２に示すように、防水透湿シート２３が横桟材１６ｂの上から貼り付けられている。
また、外断熱パネル１５の表面側には外装材２４が配設されており、この外装材２４は外断熱パネル１５の横桟材１６ｂ・・・に釘等の止着材によって取り付けられている。
また、図１に示すように、建物の１階を構成する外壁構造体８に取り付けられた外断熱パネル１５は、その下端部が外壁構造体８を構成する壁パネル６の下端部より下方に突出しており、該外断熱パネル１５の下端部は、前記半土台５に当接されて固定されている。
また、外断熱パネル１５の下框材１６ｄと、前記発泡断熱材９との間には、ＥＰＤＭで形成されたパッキン材２５が設けられている。さらに、前記下框材１６ｄには、水切り２６が取り付けられており、この水切り２６の下端は基礎１の上端より下方に位置している。
【００２８】
図５は外壁構造体８の出隅部に、外断熱パネル１５，１５を直角に取り付けた状態を示す平断面図である。
図５に示すように、外壁構造体８の出隅部は、２枚の壁パネル６Ａ（６），６Ｂ（６）を直角に接合することによって構成されている。すなわち、一方の壁パネル６Ａの端面には、矩形断面の調整材３０が固定されており、この調整材３０の側面と一方の壁パネル６Ａの端部の外表面に、他方の壁パネル６Ｂの端面が当接されている。
【００２９】
そして、このようにして構成された外壁構造体８の出隅部に、２枚の外断熱パネル１５ａ（１５），１５ｂ（１５）が直角に接合されて取り付けられている。
すなわち、一方の外断熱パネル１５ａは、一方の壁パネル６Ａに取り付けられており、その端面は他方の壁パネル６Ｂの外表面および調整材３０の先端面と面一となっている。つまり、一方の外断熱パネル１５は、外壁構造体８の出隅部を構成する一方の外表面８ａに取り付けられており、その端面は前記出隅部を構成する他方の外表面８ｂと面一になっている。
また、他方の外断熱パネル１５ｂは、他方の壁パネル６Ｂに取り付けられており、その端部の内表面に前記一方の外断熱パネル１５ａの端面が当接されている。つまり、他方の外断熱パネル１５ｂは前記出隅部を構成する他方の外表面８ｂに取り付けられており、その端部の内表面に前記一方の外断熱パネル１５ａの端面が当接されている。また、他方の外断熱パネル１５ｂの端面は、一方の外断熱パネル１５ａの外表面と面一になっている。
【００３０】
このように、外壁構造体８の出隅部を構成する一方の外表面８ａに、一方の外断熱パネル１５をその端面が前記出隅部を構成する他方の外表面８ｂと面一になるように取り付け、前記他方の外表面８ｂに、他方の外断熱パネル１５ｂを、その端部の内表面に前記一方の外断熱パネル１５ａの端面を当接させるとともに、他方の外断熱パネル１５ｂの端面と一方の外断熱パネル１５ａの外表面とが面一になるようにして、取り付けることによって、外壁構造体８の出隅部に外断熱パネル１５ａ，１５ｂを容易かつ正確に取り付けることができる。
【００３１】
図６は外壁構造体８の入隅部に、外断熱パネル１５，１５を直角に取り付けた状態を示す平断面図である。
図６に示すように、外壁構造体８の入隅部は、２枚の壁パネル６Ａ（６），６Ｂ（６）を直角に接合することによって構成されている。すなわち、一方の壁パネル６Ａの端面には、矩形断面の調整材３１が固定されており、この調整材３１の側面と一方の壁パネル６Ａの端部の外表面に、他方の壁パネル６Ｂの端面が当接されている。
【００３２】
そして、このようにして構成された外壁構造体８の入隅部に、２枚の外断熱パネル１５ａ（１５），１５ｂ（１５）が直角に接合されて取り付けられている。
すなわち、一方の外断熱パネル１５ａは、他方の壁パネル６Ｂに取り付けられており、その端面は一方の壁パネル６Ａの外表面に当接されている。つまり、一方の外断熱パネル１５ａは、外壁構造体８の入隅部を構成する他方の外表面８ｂに取り付けられており、その端面は前記入隅部を構成する一方の外表面８ａに当接されている。
また、他方の外断熱パネル１５ｂは、一方の壁パネル６Ａに取り付けられており、その端面は一方の外断熱パネル１５ａの端部の外表面に当接されている。つまり、他方の外断熱パネル１５ｂは、前記入隅部を構成する一方の外表面８ａに取り付けられており、その端面は一方の外断熱パネル１５ａの端部の外表面に当接されている。
【００３３】
このように、外壁構造体８の入隅部を構成する他方の外表面８ｂに、一方の外断熱パネル１５ａを、その端面が前記出隅部を構成する一方の外表面８ａに当接するようにして取り付け、前記一方の外表面８ａに、他方の外断熱パネル１５ｂを、その端面が一方の外断熱パネル１５ａの端部の外表面に当接するようにして取り付けることによって、外壁構造体８の入隅部に外断熱パネル１５ａ，１５ｂを容易かつ正確に取り付けることができる。
【００３４】
本実施の形態によれば、外断熱パネル１５が枠体１６とこの枠体１６内に設けられた断熱材１７とを備えており、枠体１６が、左右に離間しかつ互いに平行に設けられた複数の縦桟材１６ａと、これら縦桟材１６ａを連結するように設けられた複数の横桟材１６ｂとを有し、横桟材１６ｂが縦桟材１６ａの前面に固定されているので、外壁構造体８の外側に、枠体１６を、横桟材１６ｂが外側を向くようにして取り付けることによって、横桟材１６ｂを胴縁として機能させ、この横桟材１６ｂに外装材２４を取り付けることができる。
したがって、現場での胴縁取付け作業を省略することができるので、その分、外断熱構造の施工の手間を軽減できる。
【００３５】
また、横桟材１６ｂは、上下に離間して複数平行に設けられるとともに、縦桟材１６ａにこれと交差した部分において固定されているので、これら横桟材１６ｂを強固に固定できる。したがって、これら横桟材１６ｂによって外装材２４を強固に支持できる。また、横桟材１６ｂによって枠体１６が補強される。
さらに、枠体１６が、複数の縦桟材１６ａの上下端部をそれぞれ連結する上框材１６ｃと下框材１６ｄとを有しているので、枠体１６内に設けられた断熱材１７が枠体１６の上下端部から抜け出ることがない。
また、複数の外断熱パネル１５を上下に隣接配置する際に、下方の外断熱パネル１５の上框材１６ｃに、上方の外断熱パネル１５の下框材１６ｄを設置することによって、上下の外断熱パネル１５，１５を安定的に配置できる
加えて、外断熱パネル１５に取付金物２０が固定されており、この取付金物２０を、外壁構造体８に固定された受金物２１に係合することによって、外壁構造体８に、外断熱パネル１５が取り付けられているので、外壁構造体８に外断熱パネル１５を容易かつ確実に取り付けることができる。
【００３６】
なお、本実施の形態では、外断熱パネル１５を取付金物２０によって外壁構造体８に取り付けたが、外断熱パネル１５は、釘やビス等の止着材や接着剤等によって外壁構造体８に取り付けてもよい。
また、本実施の形態では、壁パネル６によって構成された外壁構造体８を例にとって説明したが、外壁構造体８としては、壁パネル６に限るものではなく、例えば、在来の軸組み工法によって構築された建物の、柱、梁、筋違等によって構成された壁体、ツーバイフォー工法等によって構築された建物の壁体等であってもよい。
【００３７】
（第２の実施の形態）
図７〜図９は、本発明に係る外断熱パネルを、建物の外壁に設けたフラワーボックス内の外壁に設けた例を示すものである。
本例の外断熱パネル３５は、枠体３６と、この枠体３６内に設けられた断熱材３７とを備えている。
枠体３６は、左右に離間しかつ互いに平行に設けられた２本の縦桟材３６ａ，３６ａと、これら縦桟材３６ａ，３６ａを連結するようにして設けられた３本の横桟材３６ｂ・・・を有している。
【００３８】
前記横桟材３６ｂ・・・は、枠体３６の横幅と等しい長さを有しており、縦桟材３６ａ，３６ａの前面に固定されている。したがって、横桟材３６ｂ・・・は、縦桟材３６ａ，３６ａより横桟材３６ｂの厚さ分だけ突出している。
また、前記横桟材３６ｂ・・・は、上下に離間して平行に設けられており、その両端部が縦桟材１６ａ，１６ａに釘や接着剤等によって固定されている。
【００３９】
一方、フラワーボックス４０は、建物の外壁から水平に延出している床部４１と、この床部４１の左右側部に立設された側壁部４２，４２と、床部４１の前端部に立設された前壁部４３とから構成されている。なお、床部４１は床パネルによって構成されており、側壁部４２および前壁部４３はそれぞれ壁パネルによって構成されている。
そして、このフラワーボックス４０内の、建物の外壁（外壁構造体）４４に前記外断熱パネル３５がその横桟材３６ｂを外側に向けて取り付けられ、該横桟材３６ｂに外装材４５が取り付けられている。なお、外断熱パネル３５の表面には、防水透湿シート（図示略）が貼り付けられており、この防水透湿シート上から外装材４５が横桟材３６ｂに釘等の止着材によって取り付けられている。
【００４０】
外断熱パネル３５を外壁４４に取り付ける場合、床部４１を除くフラワーボックス４０を構成する側壁部４２，４２と前壁部４３、および前記外断熱パネル３５を予め一体化してユニット化しておき、このユニット化されたユニット４６を床部４１と外壁４４に取り付ける。
外断熱パネル３５は、側壁部４２，４２の基端部間に配置されたうえで、この側壁部４２，４２に釘等の止着材４７によって固定されている。止着材４７は、外断熱パネル３５の縦桟材３６ａから側壁部４２を構成する壁パネルに打ち込まれている。そして、この止着材４７の打ち込み後に、断熱材３７が枠体３６内に充填されている。
このようにしてユニット化されたユニット４６は、その前壁部４３を床部４１に固定するとともに、側壁部４２を外壁４４に固定することによって、建物に固定されている。これによって、外断熱パネル３５は、外壁（外壁構造体）４４に横桟材３６ｂを外側に向けて取り付けられている。なお、外断熱パネル３５の上端開口は、閉塞板４８によって閉塞されている。
【００４１】
本実施の形態によれば、外断熱パネル３５が枠体３６とこの枠体３６内に設けられた断熱材３７とを備えており、枠体３６が、左右に離間しかつ互いに平行に設けられた縦桟材３６ａ，３６ａと、これら縦桟材３６ａ，３６ａを連結するように設けられた３本の横桟材３６ｂ・・・とを有し、横桟材３６ｂが縦桟材３６ａの前面に固定されているので、外壁４４の外側に、枠体３６を、横桟材３６ｂが外側を向くようにして取り付けることによって、横桟材３６ｂを胴縁として機能させ、この横桟材３６ｂに外装材４５を取り付けることができる。
したがって、現場での胴縁取付け作業を省略することができるので、その分、外断熱構造の施工の手間を軽減できる。
【００４２】
また、フラワーボックス４０を取り付ける部分の外壁４４に、ユニットされたユニット４６を固定することによって、フラワーボックス４０の取付け作業と、外断熱パネル３５の取付け作業を同時に行うことができ、施工性に優れたものとなる。
【００４３】
なお、本例では、外断熱パネル３５を、フラワーボックス４０の一部がユニット化されたユニット４６とともに外壁４４に取り付ける場合について説明したが、例えば、外断熱パネル３５を、バルコニーの一部がユニット化されたユニットとともに外壁４４に取り付けてもよい。
【図面の簡単な説明】
【００４４】
【図１】本発明の第１実施の形態を示すもので、外断熱構造の縦断面図である。
【図２】同、外断熱構造の平断面図である。
【図３】同、外断熱パネルを示す斜視図である。
【図４】同、取付金物を示す斜視図である。
【図５】同、外壁構造体の出隅部に、外断熱パネルを取り付けた状態を示す平断面図である。
【図６】同、外壁構造体の入隅部に、外断熱パネルを取り付けた状態を示す平断面図である。
【図７】本発明の第２実施の形態を示すもので、フラワーボックスの内側の外壁に外断熱パネルを取り付けた状態を示す縦断面図である。
【図８】同、フラワーボックスを外断熱パネルとともに示す平断面である。
【図９】同、外断熱パネルの斜視図である。
【符号の説明】
【００４５】
６  壁パネル
８  外壁構造体
１５，３５  外断熱パネル
１６，３６  枠体
１６ａ，３６ａ  縦桟材
１６ｂ，３６ｂ  横桟材
１６ｃ  上框材
１６ｄ  下框材
１７，３７  断熱材
２４，４５  外装材
４４  外壁（外壁構造体）
【図１】
2010095956.tif 000003
【図２】
2010095956.tif 000004
【図３】
2010095956.tif 000005
【図４】
2010095956.tif 000006
【図５】
2010095956.tif 000007
【図６】
2010095956.tif 000008
【図７】
2010095956.tif 000009
【図８】
2010095956.tif 000010
【図９】
2010095956.tif 000011